(57)【要約】【課題】この発明は、互いに近接した複数の発光部を有するレンズ体の１つの発光部を選択的に発光させることができる電子機器を提供することを課題とする。【解決手段】ノートＰＣの筐体１６ａ内に組み込まれた点灯表示ユニット１０は、透明樹脂製の複数の導光レンズ３２を連結部３４で連結したレンズ体３０を有する。複数の導光レンズ３２の間には、それぞれ、筐体１６ａの内面から突設された遮光板４０が介在されている。各遮光板４０は、導光レンズ３２の受光面３１を超える高さの上端縁部を有する。【選択図】      図２
2011129536.tif 000002
【特許請求の範囲】
【請求項１】
第１光源部と、
第２光源部と、
上記第１光源部から光を受ける第１受光面と、この第１受光面から離間された第１発光面とを有し、上記第１受光面で受光した光が上記第１発光面に伝達される第１導光レンズと、
上記第２光源部から光を受ける第２受光面と、この第２受光面から離間されるとともに上記第１発光面近傍に位置された第２発光面とを有し、上記第２受光面で受光した光が上記第２発光面に伝達される第２導光レンズと、
上記第１導光レンズと上記第２導光レンズとの間に位置され、少なくとも一部が上記第１受光面と上記第２受光面とを超える高さを有する遮光板と、
上記遮光板を越えて上記第１導光レンズと上記第２導光レンズとを連結した部位を有し、この部位の断面が他の部位の断面より小さく設けられた連結部と、
を有する電子機器。
【請求項２】
上記連結した部位は、上記第１受光面より上記第１発光面に近い位置で且つ上記第２受光面より上記第２発光面に近い位置で上記第１および第２導光レンズを連結している請求項１の電子機器。
【請求項３】
上記第１導光レンズは、上記第１受光面と上記第１発光面の間に第１反射面を有し、
上記第２導光レンズは、上記第２受光面と上記第２発光面の間に第２反射面を有し、
上記連結した部位は、上記第１反射面と上記第１発光面の間で且つ上記第２反射面と上記第２発光面の間で上記第１および第２導光レンズを連結している請求項１の電子機器。
【請求項４】
第１光源部と、
第２光源部と、
上記第１光源部から光を受ける第１受光面と、この第１受光面から離間された第１発光面とを有し、上記第１受光面で受光した光が上記第１発光面に伝達される第１導光レンズと、
上記第２光源部から光を受ける第２受光面と、この第２受光面から離間されるとともに上記第１発光面近傍に位置された第２発光面とを有し、上記第２受光面で受光した光が上記第２発光面に伝達される第２導光レンズと、
上記第１導光レンズと上記第２導光レンズとの間に位置された遮光板と、
上記遮光板を越えて上記第１導光レンズと上記第２導光レンズとを連結した部位を有し、この部位の断面が他の部位の断面より小さく設けられた連結部と、
を有する電子機器。
【請求項５】
上記連結した部位は、上記第１受光面より上記第１発光面に近い位置で且つ上記第２受光面より上記第２発光面に近い位置で上記第１および第２導光レンズを連結している請求項４の電子機器。
【請求項６】
上記第１導光レンズは、上記第１受光面と上記第１発光面の間に第１反射面を有し、
上記第２導光レンズは、上記第２受光面と上記第２発光面の間に第２反射面を有し、
上記連結した部位は、上記第１反射面と上記第１発光面の間で且つ上記第２反射面と上記第２発光面の間で上記第１および第２導光レンズを連結している請求項４の電子機器。
【請求項７】
第１光源部と、
第２光源部と、
上記第１光源部から光を受ける第１受光面と、この第１受光面から離間された第１発光面とを有し、上記第１受光面で受光した光が上記第１発光面に伝達される第１導光レンズと、
上記第２光源部から光を受ける第２受光面と、この第２受光面から離間されるとともに上記第１発光面近傍に位置された第２発光面とを有し、上記第２受光面で受光した光が上記第２発光面に伝達される第２導光レンズと、
上記第１導光レンズと上記第２導光レンズとを連結した部位を有し、この部位の断面が他の部位の断面より小さく設けられた連結部と、
を有する電子機器。
【請求項８】
上記連結した部位は、上記第１受光面より上記第１発光面に近い位置で且つ上記第２受光面より上記第２発光面に近い位置で上記第１および第２導光レンズを連結している請求項７の電子機器。
【請求項９】
上記第１導光レンズは、上記第１受光面と上記第１発光面の間に第１反射面を有し、
上記第２導光レンズは、上記第２受光面と上記第２発光面の間に第２反射面を有し、
上記連結した部位は、上記第１反射面と上記第１発光面の間で且つ上記第２反射面と上記第２発光面の間で上記第１および第２導光レンズを連結している請求項７の電子機器。
【請求項１０】
上記第１および第２導光レンズと上記連結した部位は、樹脂により一体成形されている請求項１乃至請求項９のいずれかの電子機器。
【発明の詳細な説明】
【技術分野】
【０００１】
この発明は、複数の光源から発光された光を互いに近接して配置された複数の導光レンズを通して発光させるレンズ体を備えた電子機器に関する。
【背景技術】
【０００２】
下記特許文献１には、一列に近接して並設された複数のＬＥＤ（Light Emitting Diode）から発光された光を、複数の導光レンズを通して、各導光レンズの発光部から発光させるレンズ群について開示されている。複数の導光レンズは、コ字状に折り曲げて形成された複数の連結部を介して、互いに近接した状態で一体につなげられている。
【０００３】
連結部は、導光レンズと同じ透明樹脂により一体に成形されているため、隣接する一方の導光レンズを通る光が連結部を介して他方の導光レンズに伝達されてしまう。このとき、連結部を介して伝達される光量が多いと、複数の発光部のうち１つの発光部を選択的に光らせようとしても、隣接する発光部にも僅かに光が伝達されてしまうことになる。
【０００４】
このため、特許文献１のレンズ群は、複数の導光レンズをつなげた連結部をコ字状に折り曲げることで、連結部を通って隣の導光レンズに不所望に伝達される光を少なくするように工夫している。
【先行技術文献】
【特許文献】
【０００５】
【特許文献１】特開２００８−９６７４５号公報（段落、図１）
【発明の概要】
【発明が解決しようとする課題】
【０００６】
しかし、特許文献１のレンズ群では、連結部をコ字状に折り曲げることで、確かに、連結部を通る光を減少させる僅かな効果を期待できるが、隣接する発光部を光らせないための対策としては十分であるとは言えない。例えば、特許文献１のレンズ群では、複数の導光レンズ間に何も無いため、隣接する導光レンズ同士の間でも光が伝達されてしまう。また、特許文献１のレンズ群では、各導光レンズの受光部から連結部までの距離が比較的短いため、受光部から入射した光が容易に連結部を通って隣の導光レンズに伝達されてしまう。
【０００７】
この発明の目的は、互いに近接した複数の発光部を有するレンズ体の１つの発光部を選択的に発光させることができる電子機器を提供することにある。
【課題を解決するための手段】
【０００８】
上記目的を達成するため、本発明の電子機器は、第１光源部と、第２光源部と、上記第１光源部から光を受ける第１受光面と、この第１受光面から離間された第１発光面とを有し、上記第１受光面で受光した光が上記第１発光面に伝達される第１導光レンズと、上記第２光源部から光を受ける第２受光面と、この第２受光面から離間されるとともに上記第１発光面近傍に位置された第２発光面とを有し、上記第２受光面で受光した光が上記第２発光面に伝達される第２導光レンズと、上記第１導光レンズと上記第２導光レンズとの間に位置され、少なくとも一部が上記第１受光面と上記第２受光面とを超える高さを有する遮光板と、上記遮光板を越えて上記第１導光レンズと上記第２導光レンズとを連結した部位を有し、この部位の断面が他の部位の断面より小さく設けられた連結部と、を有する。
【０００９】
上記発明によると、複数の導光レンズの間に配置された遮光板が、両側の導光レンズの受光面を超える高さを有するため、一方の導光レンズの受光面を介して一方の導光レンズに入射された光が隣接する他方の導光レンズに伝達されることを防止でき、一方の導光レンズの発光部だけを選択的に発光させることができる。
【発明の効果】
【００１０】
この発明の電子機器は、上記のような構成および作用を有しているので、互いに近接した複数の発光部を有するレンズ体の１つの発光部を選択的に発光させることができる。
【図面の簡単な説明】
【００１１】
【図１】図１は、この発明の実施の形態に係るレンズ体を組み込んだ電子機器の一例を示す外観斜視図である。
【図２】図２は、図１のノートＰＣのＰＣ本体に組み込まれた点灯表示ユニットを示す部分拡大外観図である。
【図３】図３は、図２の点灯表示ユニットから回路基板を取り除いた状態を示す部分拡大平面図である。
【図４】図４は、図３の構造からさらにレンズ体を取り除いた状態を示す部分拡大外観図である。
【図５】図５は、図２の点灯表示ユニットに組み込まれたレンズ体を示す外観斜視図である。
【図６】図６は、図２の線VI-VIで切断した部分拡大断面図である。
【図７】図７は、図２の線VII-VIIで切断した部分拡大断面図である。
【図８】図８は、図２の線VIII-VIIIで切断した部分拡大断面図である。
【発明を実施するための形態】
【００１２】
以下、図面を参照しながらこの発明の実施の形態について詳細に説明する。  
図１には、この発明の実施の形態に係る点灯表示ユニット１０（後述する）を組み込んだ電子機器の一例として、ノート型のパーソナルコンピューター１００（以下、単にノートＰＣ１００と称する）の外観斜視図を示してある。
【００１３】
図１に示すように、ノートＰＣ１００は、表面１１ａにキーボード１２やタッチパッド１３などの入力装置を備えたＰＣ本体１１、およびこのＰＣ本体１１の後端にヒンジ１４を介して回動自在に取り付けられた表示パネル１５を有する。表示パネル１５は、その内面に表示画面１５ａを有し、図示のようにＰＣ本体１１の表面１１ａを開放した開位置と、表面１１ａを閉塞した不図示の閉位置と、の間で開閉可能となっている。
【００１４】
ＰＣ本体１１は、上記入力装置１２、１３を備えた表面１１ａ側の筐体１６ａと裏面側の筐体１６ｂを嵌め合わせた矩形板状の筐体１６を有する。筐体１６内の図示左手前側には、点灯表示ユニット１０が組み込まれている。この点灯表示ユニット１０に対向して、表面側の筐体１６ａの手前側の側壁には、後述する複数の導光レンズ３２の発光面３３をそれぞれ露出させるための複数（本実施の形態では５つ）の円形の孔１７が形成されている。
【００１５】
本実施の形態の点灯表示ユニット１０は、ノートＰＣ１００に電源プラグが差し込まれているか否かを表示するためのランプ、ノートＰＣ１００の電源がＯＮになっているか否かを表示するためのランプ、ノートＰＣ１００の図示しないハードディスクドライブ（ＨＤＤ）が動作しているか否かを表示するためのランプなど、５つのランプを有する。各ランプは、点灯、点滅、消灯などにより、それぞれの状態を表示する。
【００１６】
以下、図２乃至図８を参照して、ＰＣ本体１１の筐体１６内に組み込まれた点灯表示ユニット１０について詳細に説明する。  
図２には、ＰＣ本体１１の表面１１ａ側の筐体１６ａの内側に取り付けられた点灯表示ユニット１０を筐体１６ａの内側から見た部分拡大外観斜視図を示してある。また、図３には、図２の回路基板１８を取り除いた部分拡大平面図を示してあり、図４には、図３のレンズ体３０をさらに取り除いた部分拡大外観斜視図を示してある。また、図５には、図２および図３のレンズ体３０の外観斜視図を示してある。さらに、図６には、図２の線VI-VIで切断した部分拡大断面図を示してあり、図７には、図２の線VII-VIIで切断した部分拡大断面図を示してあり、図８には、図２の線VIII-VIIIで切断した部分拡大断面図を示してある。
【００１７】
点灯表示ユニット１０は、５つのＬＥＤ２０（光源部）、レンズ体３０、および４枚の遮光板４０を有する。  
５つのＬＥＤ２０（図６、７、８にそれぞれ１つだけ代表して図示してある）は、ＰＣ本体１１の表面１１ａと略平行な姿勢で筐体１６内に収容配置された回路基板１８に実装されている。より詳細には、５つのＬＥＤ２０は、回路基板１８の手前側端縁１８ａに沿って略等間隔で、回路基板１８の（表面側の）筐体１６ａに対向した側の面に実装されている。
【００１８】
回路基板１８は、この他に各種電子部品を実装しているため、ＰＣ本体１１に不所望な衝撃が加わった場合などに、その手前側端縁１８ａと筐体１６ａの手前側の側壁が接触しないように、両者の間に隙間を形成する必要がある。このため、手前側端縁１８ａに沿って実装されるＬＥＤ２０の実装位置も、必然的に筐体１６ａの手前側の側壁から離れた位置になる。
【００１９】
レンズ体３０は、５本の導光レンズ３２、およびこれら導光レンズ３２を連結した４つの連結部３４を有する。レンズ体３０は、図５にその外観を示すように、透明な樹脂により一体成形されており、導光レンズ３２および連結部３４も連続した透明な材料によって形成されている。レンズ体３０の形状は、型を用いた一体成形が可能な形状に設計されている。
【００２０】
各導光レンズ３２は、矩形の受光面３１、およびこの受光面３１から離間した円形の発光面３３を両端に有する。また、各導光レンズ３２は、受光面３１と発光面３３との間に光軸を略４５°折り曲げるための反射面３５を有する。つまり、受光面３１と発光面３３は、互いに直交する面となっている。さらに、各導光レンズ３２は、反射面３５から発光面３３に向けて先細になるよう集束されたテーパー形状を有する。
【００２１】
レンズ体３０を所定位置に組み付けた状態で、各導光レンズ３２の受光面３１は、回路基板１８に実装されたＬＥＤ２０に１対１で近接対向する。また、この状態で、各導光レンズ３２の発光面３３は、図２に示すように、筐体１６ａの手前側の側壁に形成した孔１７を介してＰＣ本体１１の外側に露出する。つまり、ＰＣ本体１１に外力が加わって回路基板１８が撓んだ場合を想定して、各ＬＥＤ２０と各導光レンズ３２の受光面３１との間には隙間が形成されている。
【００２２】
複数の導光レンズ３２を連結した連結部３４は、各導光レンズ３２の受光面３１より発光面３３に近い位置に設けられている。言い換えると、各連結部３４は、受光面３１から離れた位置で複数の隣接した導光レンズ３２を連結している。これにより、受光面３１を介して受光したＬＥＤ２０からの光が直ぐに連結部３４に届くことを防止している。
【００２３】
つまり、この場合、受光面３１で受光した光は、導光レンズ３２を通って拡散されて弱められた後、連結部３４に達することになり、連結部３４を介して隣接する導光レンズ３２に伝達される光を少なくすることができる。本実施の形態では、連結部３４は、反射面３５と発光面３３との間で隣接する導光レンズ３２を連結する位置（図７参照）に配置した。
【００２４】
４枚の遮光板４０は、ＰＣ本体１１の表面１１ａ側の筐体１６ａの内面から略垂直に一体に突設されている。これら遮光板４０は、図４に示すように、筐体１６ａの手前側の側壁に沿って略等間隔で離間して互いに平行な姿勢で配置され、それぞれ、上記５本の導光レンズ３２の間に位置している。ＰＣ本体１１の筐体１６ａが不透明な樹脂材料によって形成されているため、これら４枚の遮光板４０も光を透過させない不透明な材料によって形成されている。
【００２５】
各遮光板４０は、上述したレンズ体３０を所定位置に取り付けた状態で、図７に示すように、各導光レンズ３２の受光面３１を超える高さに配置された上端縁部４１をそれぞれ有する。各遮光板４０の高さも、その上端縁部４１が回路基板１８に接触しない高さに設計されている。なお、各遮光板４０は、両側に位置する２つの導光レンズ３２同士が互いに隠れるように、全体として、少なくとも導光レンズ３２のサイズより大きなサイズに形成されている。
【００２６】
遮光板４０の上端縁部４１を導光レンズ３２の受光面３１より高くすることで、一方の導光レンズ３２の受光面３１を介して対向するＬＥＤ２０から入射された光が隣接する他方の導光レンズ３２の受光面３１を介して直接入射される不具合を防止できる。これにより、隣接する２つの導光レンズ３２同士で光が干渉することを防止でき、一方の導光レンズ３２の発光面３３だけを選択的に発光させることができる。なお、各遮光板４０のサイズを、隣接する２つの導光レンズ３２が互いに完全に隠れる大きさにしたため、２つの導光レンズ３２の間で光が伝達される心配もない。
【００２７】
また、各遮光板４０は、図８に示すように、複数の導光レンズ３２をつないだ連結部３４を嵌合させる段部４２を有する。段部４２は、上端縁部４１より低い位置にある。言い換えると、各連結部３４は、この段部４２を乗り越えるため、断面略Ｕ字形に折り曲げられている。このように、連結部３４を折り曲げることで、隣接する導光レンズ３２間で連結部３４を介して光が不所望に伝達されてしまう不具合を防止することができる。
【００２８】
さらに、各連結部３４が遮光板４０の段部４２を乗り越える乗り越え部３４ａは、連結部３４の他の部位より細くされている。言い換えると、この乗り越え部３４ａの断面は、他の部位の断面より小さくされている。これにより、僅かに伝達される可能性のある光が連結部３４を通る場合であっても、この乗り越え部３４ａを通過することで減少させることができるため、隣接する導光レンズ３２間で伝達される光をより少なくすることができる。
【００２９】
さらに言い換えると、複数の導光レンズ３２を連結した連結部３４は、細長い帯状の部材を単にＵ字形に折り曲げた形状を有するだけではなく、その頂部に向けて先細になるように斜めに切断した形状を有する。この形状は、レンズ体３０を一体成形する上で問題になる形状ではなく、製造コストを増加させる要因にもならない。
【００３０】
複数の遮光板４０の間には、これら複数の遮光板４０を連結して補強するための補強板４４が設けられている。これら補強板４４も、筐体１６ａの内面から垂直に一体に立ち上げられている。
【００３１】
上記の点灯表示ユニット１０を組み立てる場合、図４に示す各遮光板４０の段部４２にレンズ体３０の各連結部３４が嵌合するように、レンズ体３０を取り付ける。筐体１６ａの内面には、レンズ体３０の孔３０ａを固定するためのボス部２２、およびレンズ体の孔３０ｂを固定するためのボス部２４が突設されている。また、筐体１６ａの内面には、回路基板１８を図示しないネジにより締結固定するためのボス部２６が突設されている。
【００３２】
つまり、レンズ体３０をボス部２２、２４に取り付けた後、回路基板１８をボス部２６に締結固定することで、図２に示す点灯表示ユニット１０が組み立てられる。このとき、回路基板１８に実装された複数のＬＥＤ２０が導光レンズ３２の各受光面３１に対して僅かな隙間を介して近接対向することは言うまでも無い。
【００３３】
以上のように、本実施の形態によると、レンズ体３０の複数の導光レンズ３２の間に配置した遮光板４０が導光レンズ３２の受光面３１を超える高さの上端縁部４１を有するため、隣接する他のＬＥＤ２０からの光が当該導光レンズ３２の受光面３１を介して入射してしまう不具合を防止できる。また、本実施の形態によると、複数の導光レンズ３２を連結した透明な連結部３４を導光レンズ３２の受光面３１から離れた位置に配置したため、受光面３１を介して受光した光が連結部３４に伝わる光量を少なくすることができる。さらに、連結部３４の形状も、Ｕ字形に折り曲げたことに加えて、乗り越え部３４ａの断面を小さくしたため、連結部３４を伝達可能な光量をさらに少なくできる。つまり、本実施の形態の点灯表示ユニット１０を用いることで、近接して配置された複数のランプを独立して選択的に光らせることができ、視認性を向上させることができる。
【００３４】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【００３５】
例えば、上述した実施の形態では、ノートＰＣ１００に組み込んだ点灯表示ユニット１０に本発明を適用した場合について説明したが、これに限らず、ＰＤＡや他の電子機器に本発明を適用することもできる。
【００３６】
以下、本願の出願当初の特許請求の範囲に記載された発明を付記する。
【００３７】
［１］
複数の光源部と、
これら複数の光源部のうち１つの光源部に対向した受光面およびこの受光面から離間した発光面を両端に有し、上記受光面で受光した上記１つの光源部からの光を上記発光面に伝達する導光レンズを、上記発光面が互いに近接して配置されるように、上記複数の光源部にそれぞれ対応して複数個並設し、これら隣り合う複数個の上記導光レンズを連結部で連結したレンズ体と、
上記複数の導光レンズの間に配置され、その両側の上記導光レンズの上記受光面を超える高さを有する遮光板と、
を有することを特徴とする電子機器。
【００３８】
［２］
上記連結部は、上記受光面より上記発光面に近い位置で隣接した上記導光レンズを連結していることを特徴とする［１］に記載の電子機器。
【００３９】
［３］
上記連結部は、上記遮光板を乗り越える断面Ｕ字形に折り曲げられていることを特徴とする［１］に記載の電子機器。
【００４０】
［４］
上記連結部は、上記遮光板を乗り越える部位の断面が他の部位の断面より小さくされていることを特徴とする［３］に記載の電子機器。
【００４１】
［５］
上記導光レンズは、上記受光面と上記発光面の間に反射面を有し、
上記連結部は、上記反射面と上記発光面の間で隣接した上記導光レンズを連結していることを特徴とする［１］に記載の電子機器。
【００４２】
［６］
上記レンズ体の複数の上記導光レンズと上記連結部は、樹脂により一体成形されていることを特徴とする［１］乃至［５］のいずれかに記載の電子機器。
【００４３】
［７］
複数の光源と、
これら複数の光源のうち１つの光源に近接対向した受光面およびこの受光面から離間した発光面を両端に有し、上記受光面で受光した上記１つの光源からの光を上記発光面に伝達する導光レンズを、上記発光面が互いに近接して配置されるように、上記複数の光源にそれぞれ対応して複数個並設し、これら隣り合う複数個の上記導光レンズを上記受光面より上記発光面に近い位置で透明な連結部により連結したレンズ体と、
を有することを特徴とする電子機器。
【００４４】
［８］
上記複数の導光レンズの間に配置され、その両側の上記導光レンズの上記受光面を超える高さを有する遮光板をさらに有することを特徴とする［７］に記載の電子機器。
【００４５】
［９］
上記連結部は、上記遮光板を乗り越える断面Ｕ字形に折り曲げられていることを特徴とする［８］に記載の電子機器。
【００４６】
［１０］
上記連結部は、上記遮光板を乗り越える部位の断面が他の部位の断面より小さくされていることを特徴とする［９］に記載の電子機器。
【００４７】
［１１］
上記導光レンズは、上記受光面と上記発光面の間に反射面を有し、
上記連結部は、上記反射面と上記発光面の間で隣接した上記導光レンズを連結していることを特徴とする［７］に記載の電子機器。
【００４８】
［１２］
上記レンズ体の複数の上記導光レンズと上記連結部は、透明な樹脂により一体成形されていることを特徴とする［７］乃至［１１］のいずれかに記載の電子機器。
【００４９】
［１３］
複数の光源を備えた回路基板を収容した筐体と、
上記複数の光源のうち１つの光源に近接対向した受光面およびこの受光面から離間して上記筐体の表面に露出した発光面を両端に有し、上記受光面で受光した上記１つの光源からの光を上記発光面に伝達する導光レンズを、上記発光面が互いに近接して配置されるように、上記複数の光源にそれぞれ対応して複数個並設し、これら隣り合う複数個の上記導光レンズを透明な連結部で連結したレンズ体と、
上記筐体の内面から突設されて上記複数の導光レンズの間に配置され、その両側の上記導光レンズの上記受光面を超える高さを有する遮光板と、
を有することを特徴とする電子機器。
【００５０】
［１４］
上記連結部は、上記受光面より上記発光面に近い位置で隣接した上記導光レンズを連結していることを特徴とする［１３］に記載の電子機器。
【００５１】
［１５］
上記連結部は、上記遮光板を乗り越える断面Ｕ字形に折り曲げられていることを特徴とする［１３］に記載の電子機器。
【００５２】
［１６］
上記連結部は、上記遮光板を乗り越える部位の断面が他の部位の断面より小さくされていることを特徴とする［１５］に記載の電子機器。
【００５３】
［１７］
上記導光レンズは、上記受光面と上記発光面の間に反射面を有し、
上記連結部は、上記反射面と上記発光面の間で隣接した上記導光レンズを連結していることを特徴とする［１３］に記載の電子機器。
【００５４】
［１８］
上記レンズ体の複数の上記導光レンズと上記連結部は、透明な樹脂により一体成形されていることを特徴とする［１３］乃至［１７］のいずれかに記載の電子機器。
【産業上の利用可能性】
【００５５】
この発明は、ノートＰＣやＰＤＡなどの電子機器に適用可能であり、機器の電源の状態やＨＤＤの動作状態などを知らせるための複数のランプを備えた点灯表示ユニットを内蔵した電子機器に適用可能である。
【符号の説明】
【００５６】
１０…点灯表示ユニット、１１…ＰＣ本体、１１ａ…表面、１４…ヒンジ、１５…表示パネル、１６、１６ａ、１６ｂ…筐体、１７…孔、１８…回路基板、２０…ＬＥＤ、３０…レンズ体、３１…受光面、３２…導光レンズ、３３…発光面、３４…連結部、３４ａ…乗り越え部、３５…反射面、４０…遮光板、４１…上端縁部、４２…段部、１００…パーソナルコンピューター。
【図１】
2011129536.tif 000003
【図２】
2011129536.tif 000004
【図３】
2011129536.tif 000005
【図４】
2011129536.tif 000006
【図５】
2011129536.tif 000007
【図６】
2011129536.tif 000008
【図７】
2011129536.tif 000009
【図８】
2011129536.tif 000010